(57)【特許請求の範囲】
【請求項１】
複数の商品を収納する収納室と、
前記複数の商品のそれぞれを購入するために設けられる指定ボタンと、
前記複数の商品のうち任意の商品を組み合わせることで得られる組み合わせ意匠を示す表示部と、を有し、
前記複数の商品は、
第１の容器と、第２の容器を含み、
前記第１の容器の外面に形成された第１の係合体と、前記第１の係合体が前記第２の容器の外面に形成された第２の係合体と係合し、前記第１の容器と前記第２の容器が一体化されたとき、前記第１の容器と前記第２の容器の外面にそれぞれ表示された第１の意匠と第２の意匠が組み合わせられて新しく前記組み合わせ意匠若しくはその一部が構成される、組み合わせ可能な販売商品である、
組み合わせ可能な販売商品の自動販売装置。
【発明の詳細な説明】
【技術分野】
【０００１】
本実施形態は、組み合わせ可能な販売商品及びその自動販売装置に関する。
【背景技術】
【０００２】
自動販売装置は、現在の社会には必須の装置と言うことができる。自動販売装置を利用する販売者は、販売商品の売れ行きを促進したいという要望を持つ。また種々の商品が自動販売装置に装填されるが、商品によって人気の高い商品と、人気の薄い商品とがある。人気の薄い商品は、大量に売れ残る可能性がある。そのために、販売者は、種々の商品を開発している。また自動販売装置もまた、顧客のニーズに応えるべく各種の改良がなされている。
【先行技術文献】
【特許文献】
【０００３】
【特許文献１】特開２０１０−２２４８８２号公報
【発明の概要】
【発明が解決しようとする課題】
【０００４】
ところで、自動販売商品が消費者により購入された後、商品の空き缶、ボトル、プラスチック製ボトルなど所謂、空の容器の不法放棄は、環境の美化を損ない、社会問題となっている。
【０００５】
一実施形態では、商品の売れ行きを促進することができる、組み合わせ可能な販売商品及びその自動販売装置を提供することを目的とする。
【０００６】
また他の実施形態では、廃棄される容器の数量をできるだけ低減できる組み合わせ可能な販売商品及びその自動販売装置を提供することを目的とする。
【課題を解決するための手段】
【０００７】
上記の課題を解決するために、一実施形態では、第１の容器と、前記第１の容器の外面に形成された第１の係合体と、を有し、前記第１の係合体が第２の容器の外面に形成された第２の係合体と係合し、前記第１の容器と前記第２の容器が一体化されたとき、前記第１の容器と前記第２の容器の外面にそれぞれ表示された第１の意匠と第２の意匠が組み合わせられて新しく第３の意匠が形成されるようにした。
【図面の簡単な説明】
【０００８】
【図１】一実施形態に係る商品の代表的な例であり、容器の内部に液体飲み物が入れられている商品の外観図であり、１つの商品と、複数の商品が組み合わせられた状態を示している。
【図２Ａ】他の実施形態に係る商品の代表的な例であり、複数の容器を組み合わせることで、ある意匠（デザイン）を得た例を示す外観図を示している。
【図２Ｂ】更に他の実施形態に係る商品の代表的な他の例であり、複数の容器を組み合わせることで、あるデザインを得た更に他の例を示す外観図を示している。
【図３Ａ】また他の実施形態に係る商品の代表的な例であり、複数の容器を組み合わせることで、ある意匠（デザイン）を得た例を示す外観図を示している。
【図３Ｂ】更にまた他の実施形態に係る商品の代表的な他の例であり、複数の容器を組み合わせることで、あるデザインを得た更に他の例を示す外観図を示している。
【図４Ａ】他の実施形態に係る商品の代表的な例であり、容器の斜視図である。
【図４Ｂ】図４の商品を複数個組み合わせて示す側面図である。
【図４Ｃ】図４の商品を複数個組み合わせて示す平面図である。
【図５Ａ】さらに他の実施形態に係る商品の代表的な例であり、該商品の空の容器の斜視図である。
【図５Ｂ】図５Ａの容器の平面図である。
【図５Ｃ】図５Ａの容器を変形した例を示す図である。
【図５Ｄ】図５Ｃの変形容器を複数組み合わせた例を図である。
【図５Ｅ】図５Ｃの変形容器を複数組み合わせた他の例を図である。
【図６】複数の実施形態に係る容器の複合体の例を示す図である。
【図７】実施形態に係る商品の自動販売装置の外観を示す図である。
【発明を実施するための形態】
【０００９】
以下、一実施形態について、詳細に説明する。図１には、１つの商品の例を示している。この商品１の容器１０は、例えば筒状の本体部１１と飲み口を有し、飲み口にはキャップ１２が取り付けられている。容器１０の内部には、飲み物が収納されている。
【００１０】
容器１０は、そのボトムに他の同類の容器のヘッドを係合できる係合部（窪み及び又は凹部）が形成されている。この例では、容器１０ａの底に他の容器１０ｂのヘッドを挿入して係合できるように、係合部が形成されている。したがって、複数の容器１０ａ、１０ｂ，１０ｃを同軸上に連ねて、例えば柱の意匠（デザイン）を得ることができる。
【００１１】
上記の組み合わせ可能な販売商品は、以下の構成要素を備える。即ち、第１の容器１０ａと、前記第１の容器１０ａの外面（この例では底面）に形成された第１の係合体（この例では容器１０aの底面の窪み）と、前記第１の係合体が第２の容器１０ｂの外面（この例では容器１０ｂのヘッド）に形成された第２の係合体（この例ではキャップ部とその周辺）と係合し、前記第１の容器と前記第２の容器が一体化されたとき、前記第１の容器と前記第２の容器の外面にそれぞれ表示された第１の意匠と第２の意匠が組み合わせられて新しく構成される第３の意匠（この例では柱）と、を有する。
【００１２】
さらに、上記の組み合わせ可能な販売商品は、前記第２の容器１０ｂの外面に形成された第３の係合体（この例では容器１０ｂの底面の窪み）と、前記第２の係合体が第３の容器の外面に形成された第４の係合体（この例では容器１０ｃのヘッド）と係合し、前記第１の容器と前記第２の容器と前記第３の容器が一体化されたとき、前記第１の容器と前記第２の容器と前記第３の容器の外面にそれぞれ表示された前記第１の意匠と前記第２の意匠と第３の意匠が組み合わせられて新しく構成される第４の意匠（この例では柱）と、を有することができる。
【００１３】
上記したようにこの種類の商品は、複数の容器が組み合わせられることで少なくとも１つのデザインを得ることができ、販売時には、複数の容器の内部に例えば液体の飲み物が入れられている。
【００１４】
図２Ａは、複数の容器１０ａ、１０ｂ，１０ｃを同軸上に連ねた場合、ロケットの絵がデザインとして構成された例である。また図２Ｂは、複数の容器１０ａ、１０ｂ，１０ｃを同軸上に連ねた場合、山の絵がデザインとして構成された例である。
【００１５】
図３Ａは、複数の容器１０ａ、１０ｂ，１０ｃを同軸上に連ねた場合、コインの絵がデザインとして構成され、また文章例えば「TIME IS MONEY」が形成された例である。また図３Ｂは、複数の容器１０ａ、１０ｂ，１０ｃを同軸上に連ねた場合、新しい車の絵とその名称がデザインとして構成された例である。
【００１６】
図４Ａ，図４Ｂ，図４Ｃは、他の容器の実施形態である。容器２０は、本体部２１とキャップ２２を有する。本体部２１には、凹部Ｘと凸部Ｙが形成されている。一方の容器の凹部Ｘと、他方の商品の凸部Ｙを結合すると、図４Ｂ，図４Ｃに示すように複数の容器２０ａ，２０ｂ、２０ｃを連結することができる。それぞれの容器２０ａ，２０ｂ、２０ｃの表面にデザインの一部を記載することで、全体として、例えば図２Ａ、図２Ｂ、図３Ａ，図３Ｂに示したような統一のとれた表示を得ることができる。
【００１７】
図５Ａ−図５Ｄに示す実施形態は、内容物である、飲み物或いはお菓子などが消費された後、空の容器３０が変形可能に製造された実施形態である。図５Ａ（斜視図）と図５Ｂ（平面図）は、容器３０の変形前の状態である。この容器３０は、キャップと底板を取り払い、図５Ｂの矢印で示す方向へ圧力を与えると、点線で示す位置に外壁が変形し、図５Ｃに示すようになる。
【００１８】
このように変形した容器を複数集めて、容器３０ａ、３０ｂ、３０ｃ、３０ｄを図５Ｄのように組み合わせる、或いは、複数の容器３０ａ、３０ｂ、３０ｃ、３０ｄ、３０ｅ，３０ｆ，３０ｇを図５Ｅのように組み合わせることができる。これらの創造物は、例えば、飾り物として利用可能である。また容器の設計に応じて容器の各種の変形形状を得ることができる。
【００１９】
図６の容器４０ａ，４０ｂ，４０ｃ，４０ｄ，４０ｅは、図５Ｃの容器を複数組み立てた場合、敷物として利用できる例である。
【００２０】
図７は上記の商品を販売する自動販売機５０の一例を示している。この自動販売機５０の正面には、販売商品の展示部５０１が設けられている。展示部５０１には、販売商品の模型或いは写真が展示されている。そして各商品の模型或いは写真に対応する商品を選択するための選択ボタン５０２が配列されている。５０３は、ディスプレイであり、このディスプレイ５０３は、液晶表示装置或いはＬＥＤ或いはその他の発光素子を用いた装置である。このディプレイ５０３は、映像を表示することができる。ディスプレイ５０３は、例えば裏側にＵＳＢメモリを装着することができ、ＵＳＢメモリに格納されている動画データに基づく３乃至１０秒程度の動画を繰り返し表示することができる。また図示していないが、映像再生ボタンを押すことにより、この動画を一定時間（例えば２乃至３分程度）表示することができる。
【００２１】
なお展示部５０１、選択ボタン５０２もディスプレイ５０３内に組み込まれてもよい。そして商品展示及び選択ボタンが表示されてもよい。選択ボタンの領域は、タッチ式パネルが使用される。
【００２２】
５０４は、商品を購入するために紙幣を挿入する紙幣挿入口であり、５０５はコインを投入するコイン投入口である。また５０６は、つり銭受け取り皿である。さらに５０７は、商品を購入したときに商品が出てくる部分であり、商品受け取り口である。
【００２３】
今、ディスプレイ５０３には、新しい車の映像６１１が表示され、この車のデザインの容器を獲得するためには、商品Ａ，Ｂ，Ｃを購入すればよいことを示す、コメント６１２が表示されている。つまり表示部では、デザインを得る複数の商品を購入する方法を示す。なお、この例では、ディスプレイ５０３にコメント６１２が表示されたが、音声でこの車のデザインの容器を得られる商品Ａ，Ｂ，Ｃを案内してもよい。この例は、１つのデザインの例（車）を示しているが、種々のデザインの例が同時または繰り返し表示され、当該デザインの容器を得ることができる商品が案内されてもよい。また利用者が各種のデザインを参照できるような操作ボタンが容易されてもよい。
【００２４】
上記したように、それぞれの容器が形状又は模様又は絵又は図形又は文字又はマークなどのデザイン（意匠）の一部を形成若しくは表示しており、販売時には、それぞれの容器には飲み物若しくは食品が入れられている複数の商品である。
【００２５】
前記容器は、前記飲み物若しくは食品が内部に格納されている場合に、組み合わせられて、前記デザインを得ることができる容器である。又は、前記容器は、空になった場合に、組み合わせられて前記デザインを得ることができる容器であってもよい。なお係合部、非係合部の形状や構造などは、多くの変形例が可能である。一方と他方の片を係合させる、一方と他方のフックを係合させる構造、一方と他方の部材をねじ止めする構造、或いは一方と他方の部材を接着させる構造でもよい。
【００２６】
また飲料水を収容したボトルを多数保管する場合、容器を連結して組み立てることにより、外観が美的となり、家庭内の居間などに保管しやすくなる。また空の容器を破棄する場合も、複数の容器を組み立てることにより、外観が美的となるので、廃棄物という概念が薄れる。
【００２７】
上記した本実施形態は、実施権を譲渡する用意がありますので、実施権を希望される場合、本件の代理人を通じてのご連絡をお願いいたします。なお、既に実施契約などその他が別途完了しており、譲渡ができない場合にはお断り申し上げますので了承願います。
【符号の説明】
【００２８】
１０、１０ａ〜１０ｃ、３０、３０ａ〜３０ｄ、４０、４０ａ〜４０ｅ・・・容器、１１・・・本体部、１２・・・キャップ、５０・・・自動販売機、５０１・・・展示部、５０２・・・選択ボタン、５０３・・・ディスプレイ。
【図１】
0006462406.tif 000002
【図２Ａ】
0006462406.tif 000003
【図２Ｂ】
0006462406.tif 000004
【図３Ａ】
0006462406.tif 000005
【図３Ｂ】
0006462406.tif 000006
【図４Ａ】
0006462406.tif 000007
【図４Ｂ】
0006462406.tif 000008
【図４Ｃ】
0006462406.tif 000009
【図５Ａ】
0006462406.tif 000010
【図５Ｂ】
0006462406.tif 000011
【図５Ｃ】
0006462406.tif 000012
【図５Ｄ】
0006462406.tif 000013
【図５Ｅ】
0006462406.tif 000014
【図６】
0006462406.tif 000015
【図７】
0006462406.tif 000016